(57)【要約】【課題】薄くて軽くて持ち運びに便利で、低コストで製造できるお守り具を提供する。【解決手段】互いに重ね合わせ状に配置される２枚の薄板シート状のカバー薄板材１２と、２枚のカバー薄板材１２の一端部を連結して他端部を開閉自在とする連結部１４と、２枚のカバー薄板材１２の間に挟まれて配置され、連結部１４に連結される台紙１６と、偏平状に形成され台紙１６に保持される偏平状御利益物１８と、を有するお守り具１０から構成される。衣類のポケットや鞄、財布等に入れて持ち運ぶことができる。【選択図】図１
0003183720.tif 000002
【実用新案登録請求の範囲】
【請求項１】
互いに重ね合わせ状に配置される２枚の薄板シート状のカバー薄板材と、
２枚のカバー薄板材の一端部を連結して他端部を開閉自在とする連結部と、
２枚のカバー薄板材の間に挟まれて配置され、連結部又はカバー薄板材に連結される台紙と、
偏平状に形成され、台紙に保持される偏平状御利益物と、を有することを特徴とするお守り具。
【請求項２】
台紙は、１枚のシート部材を２つ折りして構成され、折り目とは反対側の端部を連結部に連結されており、
偏平状御利益物は、２つ折り構成の台紙の内側に挟んで保持されたことを特徴とする請求項１記載のお守り具。
【請求項３】
台紙には、内側の偏平状御利益物を台紙の外側から見られるように該台紙を貫通した窓孔が設けられたことを特徴とする請求項２記載のお守り具。
【請求項４】
連結部は、２枚のカバー薄板材の一端部に穿孔された孔に通係されてそれらを連結する索条体からなることを特徴とする請求項１ないし３のいずれかに記載のお守り具。
【請求項５】
２枚のカバー薄板材は、同一形状で形成されるとともに、互いに異なる表示が施されることを特徴とする請求項１ないし４のいずれかに記載のお守り具。
【請求項６】
カバー薄板材と台紙は、所定形状の１枚の厚紙を３箇所で折り畳むことにより構成されることを特徴とする請求項１ないし５のいずれかに記載のお守り具。
【請求項７】
請求項１ないし６のいずれかに記載のお守り具と、
お守り具のカバー薄板材を差し入れて連結部近傍で係止することにより該お守り具を着脱自在に保持する係止部を備えた薄板シート状の絵馬札と、を含むことを特徴とするお守り・絵馬セット。
【考案の詳細な説明】
【技術分野】
【０００１】
本考案は、身に着けたり室内や車内に飾ることができるお守り具及びお守り・絵馬セットに関する。
【背景技術】
【０００２】
学業成就、商売繁盛、交通安全、家内安全、その他開運や魔除け等を祈願するお守りが寺社仏閣等で販売されている。従来のお守りは、綿製袋の内部に紙や木等で形成されたご神体や札が収納されて構成されており、身に着けて持ち歩きできるようになっている。また、お守りに関する様々な提案がなされており、例えば、特許文献１には、ケースとこのケース内に出し入れ自在に収納される願い事記入部材と前記ケースの開口部を着脱自在に覆設するキャップとでお守り本体を形成しているお守りが開示されている。
【先行技術文献】
【特許文献】
【０００３】
【特許文献１】特開２００５−１６８５６１号公報
【考案の概要】
【考案が解決しようとする課題】
【０００４】
従来のお守りは衣類のポケットに入れたり、鞄や財布等の外に取り付けて使用される場合が多いが、従来のお守りのように袋内に収納する構造や、プラスチックのケース等に収納する構造のものでは、やや嵩張りやすく例えば財布や定期入れ等の薄い入れ物の中に入れて持ち歩くことができない場合が多い。また、近時では、お守りの種類も多種多様化しており、販売者や購入者もお守りの形状以外に多様なタイプのお守りを望む声があるが、従来の袋やケースの構造では、自由な形状の加工や表示を施しにくい場合が多く、自由な加工が困難であったり、又は製造コストが高くなる等の問題があった。
【０００５】
本考案は上記従来の課題に鑑みてなされたものであり、その一つの目的は、薄くて軽くて持ち運びに便利で、低コストで製造でき、様々な形状や表示を簡単に施せるお守り具を提供することにある。さらに、他の目的は、開運具や縁起物を組み合わせて商品価値を高めたお守り・絵馬セットを提供することにある。
【課題を解決するための手段】
【０００６】
上記課題を解決するために本考案は、互いに重ね合わせ状に配置される２枚の薄板シート状のカバー薄板材１２と、２枚のカバー薄板材１２の一端部を連結して他端部を開閉自在とする連結部１４と、２枚のカバー薄板材１２の間に挟まれて配置され、連結部１４又はカバー薄板材１２に連結される台紙１６と、偏平状に形成され、台紙１６に保持される偏平状御利益物１８と、を有するお守り具１０から構成される。
【０００７】
また、台紙１６は、１枚のシート部材を２つ折りして構成され、折り目２４ｃとは反対側の端部を連結部１４に連結されており、偏平状御利益物１８は、２つ折り構成の台紙１６の内側に挟んで保持されたこととしてもよい。
【０００８】
また、台紙１６には、内側の偏平状御利益物１８を台紙１６の外側から見られるように該台紙１６を貫通した窓孔２８が設けられたこととしてもよい。
【０００９】
また、連結部１４は、２枚のカバー薄板材１２の一端部に穿孔された孔２０に通係されてそれらを連結する索条体２２からなることとしてもよい。
【００１０】
また、２枚のカバー薄板材１２は、同一形状で形成されるとともに、互いに異なる表示が施されることとしてもよい。
【００１１】
また、カバー薄板材１２と台紙１６は、所定形状の１枚の厚紙（３０）を３箇所（３２１〜３２３）で折り畳むことにより構成されることとしてもよい。
【００１２】
さらに、本考案は、上記いずれかに記載のお守り具１０と、お守り具１０のカバー薄板材１２を差し入れて連結部１４近傍で係止することにより該お守り具を着脱自在に保持する係止部４４を備えた薄板シート状の絵馬札４２と、を含むお守り・絵馬セット４０から構成される。
【考案の効果】
【００１３】
本考案のお守り具によれば、互いに重ね合わせ状に配置される２枚の薄板シート状のカバー薄板材と、２枚のカバー薄板材の一端部を連結して他端部を開閉自在とする連結部と、２枚のカバー薄板材の間に挟まれて配置され、連結部又はカバー薄板材に連結される台紙と、偏平状に形成され、台紙に保持される偏平状御利益物と、を有することから、全体として薄くて軽い偏平状となっているので身につけて持ち運びしやすい。例えば、衣類のポケットや財布、定期入れ、名刺入れ等の中に入れても嵩張りにくい。この際、カバー薄板材で内側の台紙及び偏平状御利益物を保護できる。また、カバー薄板材の外形輪郭形状や表示を自由に施すことができ、高い自由度で様々な形態のお守り具を低コストで製造できる。
【００１４】
また、台紙は、１枚のシート部材を２つ折りして構成され、折り目とは反対側の端部を連結部に連結されており、偏平状御利益物は、２つ折り構成の台紙の内側に挟んで保持された構成とすることにより、簡単な構造で偏平状御利益物を確実に保持できる。さらに、必要に応じて台紙をカバー薄板材から取り外して使用する場合にも、台紙によって内側の偏平状御利益物を確実に保護でき、早期摩耗や汚損を良好に防止できる。
【００１５】
また、台紙には、内側の偏平状御利益物を台紙の外側から見られるように該台紙を貫通した窓孔が設けられた構成とすることにより、御利益物を目でみることでき有り難味を感じることができる。
【００１６】
また、連結部は、２枚のカバー薄板材の一端部に穿孔された孔に通係されてそれらを連結する索条体からなる構成とすることにより、簡単な構造で連結部を実現できるとともに、索条体を介して衣類やバッグや財布等に取り付けることができる。さらに、索条体の種々の結び方によっては装飾の一部として機能させることもでき意匠感を向上させうる。また、必要に応じて索条体を取り外したり結び止めたりしてカバー薄板材と台紙とを自在に分離又は連結しながら使用することができる。
【００１７】
また、２枚のカバー薄板材は、同一形状で形成されるとともに、互いに異なる表示が施される構成とすることにより、意匠感が高く、オリジナリティに富んだお守り具を製造できる。
【００１８】
また、カバー薄板材と台紙は、所定形状の１枚の厚紙を３箇所で折り畳むことにより構成されることから、カバー薄板材と台紙を簡単に形成することができ、部位品点数も少なく、製造時の管理を簡便化し、低コストで製造できる。
【００１９】
さらに、本考案のお守り・絵馬セットによれば、上記いずれかに記載のお守り具と、お守り具のカバー薄板材を差し入れて連結部近傍で係止することにより該お守り具を着脱自在に保持する係止部を備えた薄板シート状の絵馬札と、を含むから、お守りと絵馬札とのセットで縁起物効果や祈願成就に対する期待度を高く感じやすく、商品価値を向上できる。また、必要に応じてお守り具と絵馬札とを取り外して別々に使用することができる。
【図面の簡単な説明】
【００２０】
【図１】本考案の第１の実施形態に係るお守り具の概略構成を示す説明図である。
【図２】図１のお守り具のカバー薄板材を開いた状態の斜視図である。
【図３】図１のお守り具のＡ−Ａ線断面拡大図である。
【図４】図１のお守り具の製造説明図である。
【図５】本考案の第２の実施形態に係るお守り具の正面図である。
【図６】図５のお守り具のＢ−Ｂ線断面拡大図である。
【図７】図４のお守り具のカバー薄板材を開いた状態の斜視図である。
【図８】図４のお守り具のカバー薄板材を開いた状態の正面図である。
【図９】図４のお守り具の製造説明図であり、（ａ）はシート材を広げた状態の説明図、（ｂ）はシート材を折り畳む際の作用側面図である。
【図１０】本考案の一実施形態に係るお守り・絵馬セットの正面図である。
【図１１】図１０のお守り・絵馬セットのＣ−Ｃ線断面拡大図である。
【図１２】図１０のお守り・絵馬セットのお守り具と絵馬札を分解した斜視図である。
【考案を実施するための形態】
【００２１】
以下、添付図面を参照しつつ本考案のお守り具及びお守り・絵馬セットの実施の形態について説明する。本考案のお守り具は、例えば、衣類や鞄、財布、携帯電話機等の外部に取り付けたり、衣服や財布、鞄等のポケットや財布、定期入れ等の中に入れたり、室内や自動車内に取り付けたりして持ち運んだり、或いは部屋の棚や机上等に置いたり壁に掛けたりなど、幅広い態様で使用することができるお守り具である。図１ないし図４は、本考案のお守り具の第１の実施形態を示している。図１、図２、図３に示すように、本実施形態において、お守り具１０は、２枚のカバー薄板材１２と、連結部１４と、台紙１６と、偏平御利益物１８と、を備えている。
【００２２】
図１、図２、図３に示すように、カバー薄板材１２は、薄板シート状に形成されており、２枚が互いに重ね合わせ状に配置される。本実施形態では、カバー薄板材１２は、例えば、厚紙で形成され、２枚ともに同じ大きさの矩形状に形成されている。なお、実際には、カバー薄板材１２の表裏面には、文字や図形、模様、色彩等が種々施されるが、図上では省略している。カバー薄板材１２の端部であって左右中央位置で２枚のカバー薄板材の同じ位置には、孔２０が穿孔されている。カバー薄板材１２は、矩形状に限らず、例えば、円形、五角形、六角形、多角形、星形、だるまや絵馬、人物、動物、キャラクター等、その他任意の形状で形成してもよく、金箔や銀箔による装飾、写真、祈願する文字、絵、図形等その他任意の表示を施しても良い。また、カバー薄板材１２は、紙製に限らず、木、プラスチック、金属製等の薄板シートで形成してもよい。
【００２３】
２枚のカバー薄板材１２は、連結部１４を介して連結される。連結部１４は、２枚のカバー薄板材１２の一端部を連結し他端部を開閉自在に連結する連結手段である。連結部１４は、例えば、カバー薄板材１２の一端部の孔２０に通係される無端状に形成された索条体２２からなる。索条体２２は、例えば、可撓性の紐、合成樹脂、金属線等の細長いもの又は鎖からなり、２枚のカバー薄板材１２どうしを開閉自在に連結する。本実施形態では、索条体２２は、蝶結びや止め結び等で結んでカバー薄板材１２を連結しており、装飾の一部を機能している。なお、連結部１４は、索条体に変えて、硬質金属や硬質プラスチック等をリング状に形成したリング体を使用してもよい。また、連結部１４は、接着材やテープ等の接着手段で付着することによりしてもよい。また、連結部１４は、例えば、１枚の薄板状シートを折り曲げて折り目部分を連結部として２枚のカバー薄板材１２を一体形成することとしてもよい。
【００２４】
台紙１６は、シート材であり、２枚のカバー薄板材１２の間に挟まれて配置されて連結部１４に連結されており、偏平御利益物１８を２枚のカバー薄板材１２の間に保持するための保持手段である。図４に示すように、台紙１６は、例えば、１枚の厚紙を２つ折りに折り曲げることによって２つ折り構成となっている。すなわち、台紙１６は、２つの紙片２４ａ、２４ｂが重なって設けられ、折り目部分２４ｃで端部どうしを接合している。台紙１６は、２つ折り構成において紙片２４ａ、２４ｂの折り目２４ｃとは反対側となる端部に貫通孔２６が穿孔され、該貫通孔２６に２枚のカバー薄板材１２を連結している索条体２２を通係させて連結部１４に連結されている。台紙１６は、例えば、正面から見ると矩形状に形成されており、図示しないが実際には、文字や図形、模様、色彩等が種々施される。なお、台紙１６の形状は、矩形状に限らず、例えば、円形、五角形、六角形、多角形、絵馬状、その他任意の形状に形成してもよく、金箔や銀箔により装飾したり、祈願する文字や絵、写真、図形等その他任意の表示を施しても良い。
【００２５】
図１に示すように、２つ折り構成の台紙１６において、一方の紙片２４ａには、該紙片２４ａの略中央部を貫通して設けられた窓孔２８が設けられている。本実施形態では、窓孔２８は、例えば、略円形状に形成されているが、四角形、五角形、六角形、花形、その他任意の形状でもよい。窓孔２８を介して台紙１６の外側から内部を見ることができるようになっており、台紙１６に保持される後述の偏平御利益物１８を外側から見ることができるようになっている。なお、台紙の２つの紙片２４ａ、２４ｂの両方に窓孔を形成することとしてもよい。
【００２６】
偏平御利益物１８は、例えば、開運、招福、縁起かつぎや魔除け、邪気払い等その他御利益を祈願するための御利益物であり、偏平状に形成されて台紙１６に保持される。本実施形態では、偏平御利益物１８は、例えば、祈祷などにより清めた塩や木等の粉末状物を透明の袋体に入れて密閉し、偏平状に形成したものからなる。偏平御利益物１８は、例えば、２つ折り構成の台紙１６の内側に紙片２４ａ、２４ｂに挟まれて配置され、該台紙１６の窓孔２８が設けられていない側の紙片２４ｂに接着剤で貼り付けられて、挟持状に保持されている。上述のように偏平御利益物１８は、台紙１６の窓孔２８を介して台紙１６の外側から見えるようになっている。なお、偏平御利益物１８は、紙や木、金属等で形成したご神体を模した形状のものや札等でもよい。
【００２７】
図４に示すように、本実施形態に係るお守り具を製造する際には、所定の形状に加工や表示が施された２枚のカバー薄板材１２と台紙１６、及び偏平御利益物１８を用意する。台紙１６は２つ折りされ、その２つ折りの内側に偏平御利益物１８を挟んで固定し保持する。台紙１６の両面側から２枚のカバー薄板材１２を重ね合わせてカバー薄板材１２で台紙１６を挟み、索条体２２でカバー薄板材１２及び台紙１６を連結して構成される。
【００２８】
本実施形態に係るお守り具を使用する際には、例えば、衣類のポケットや、バッグ、財布、定期入れ、名刺入れ等に入れて持ち運ぶことができる。この際、お守り具全体が偏平状であるので、軽くて薄く嵩張らずに持ち歩くことができる。さらに、カバー薄板材１２により保護でき、該御利益物が汚れたり損傷したりするのを防止できる。また、連結部１４の索条体２２を介して、バッグや財布、携帯電話の外部に取り付けたり、室内や車内に飾ることもできる。偏平御利益物１８を見る場合には、図３に示すようにカバー薄板材１２を開くと、台紙１６の窓孔２８を介して簡単に見ることができる。さらに、必要に応じて、カバー薄板材１２を取り外して、偏平御利益物１８のみを持ち運ぶこともできる。台紙１６に挟まれて保持されているので、偏平御利益物１８を保護しながら、良好に携帯できる。
【００２９】
次に、図５ないし図９を参照しつつ、本発明のお守り具の第２の実施形態について説明する。上記した第１実施形態と同一構成、同一部材には、同一符号を付し、その詳細な説明は省略する。本実施形態に係るお守り具１０−２は、基本的には第１実施形態と同じ構成となっている。図５、図６、図７、図８に示すように、本実施形態では、カバー薄板材１２は、例えば、全体的に略円形状に形成され、笑顔のだるまを模した形状となっている。また、２枚のカバー薄板材１２は、同一形状、同一サイズで形成されているが、一方のカバー薄板材１２の色彩は赤色、他方のカバー薄板材１２の色彩は黄色で施され、互いに異なる表示態様となっている。なお、例えば、２枚のカバー薄板材１２のだるまの表情を変えたりなどして異なる表示態様としてもよい。
【００３０】
本実施形態では、台紙１６は、２つ折り構成となっているが、正面から見て、矩形状の２つの隅部を斜めに面取りして六角形状に設けられ、絵馬札を模した形状で形成されている。台紙１６の窓孔２８は、桜の花を模した５つの孔で形成されており、この桜の花の形状の窓孔２８から偏平状御利益物１８を見ることができる。さらに、台紙１６には、使用者が自由に願い事を記載できる願い事記入欄３４が設けられている。
【００３１】
連結部１４は、例えば、２枚のカバー薄板材１２の孔２０及び台紙１６の貫通孔２６を通係する索条体２２を含み、索条体２２が蝶結び状に結ばれて、それらを連結している。なお、図６上では、索条体２２は簡略して示している。
【００３２】
図９にも示すように、２枚のカバー薄板材と２つ折り構成の台紙１６とは、雄厚紙を所定の形状に加工した帯状シート材３０を３箇所の折り目３２１、３２２、３２３で曲げて折り畳むことにより、一体的に形成されている。帯状シート材３０は、だるま形状のカバー薄板材１２と絵馬形状の台紙１６の紙片２４ａ、２４ｂとを一体的に繋げて形成され、各部位の境界線が折り目３２１、３２２、３２３となる。なお、帯状シート材３０を折り畳む際に、台紙１６の部位の間に偏平状御利益物１８が配置される。カバー薄板材１２と台紙１６とが一体的に連結されて形成されるとともに、カバー薄板材１２と台紙１６との連結部分となる折り目部分３２１、３２３で、さらに索条体２２によりに結び止められて連結部１４が構成され、該カバー薄板材１２の他端部が開閉自在となっている。本実施形態に係るお守り具でも、第１実施形態と同様に見に付けたり室内に飾って使用することできる。
【００３３】
次に、図１１ないし図１３を参照しつつ、本発明のお守り・絵馬セットの一実施形態について説明する。上記した第２実施形態と同一構成、同一部材には、同一符号を付し、その詳細な説明は省略する。本実施形態に係るお守り・絵馬セット５０は、上記第２実施形態と同様のお守り具１０−２と、絵馬札４２と、を含む。絵馬札４２は、例えば、厚紙等の薄板シートからなり、四角形の２つの隅部の角を斜めに切り落として、六角形状として絵馬に似た形状となっている。図示しないが、実際には、絵馬札４２の表裏面には、板目調の色彩及び模様が施されるとともに、開運や魔除けを祈願する文字、御利益物の由来やお守り具の使用例等の説明書き、又はその他任意の文字、図形、写真、模様が施される。
【００３４】
絵馬札４２には、２つのお守り具１０−２を着脱自在に保持する係止部４４、４６を備えている。本実施形態では、係止部４４、４６は左右に並べて設けられている。第１の係止部４４は、例えば、絵馬札４２の図１０上、左半部の上下方向中間位置に形成された１本の切り込み４５を含む。この第１の係止部４４に、切り込み４５からお守り具１０−２の１つのカバー薄板材１２のみを差し入れて絵馬札の裏面側に通し、連結部１４近傍で係止することにより該お守り具１０−２を保持する。第２の係止部４６は、例えば、絵馬札４２の図１０上、右半部の上下方向の中間位置に形成された２本の切り込み４７を含む。この第２の係止部４６に、お守り具１０−２のカバー薄板材１２の裏面が見えるように開いた状態で切り込み４７からカバー薄板材１２又は台紙１６を挿し入れて該切り込みによる絵馬札４２側の帯状部分で挟み込み、連結部１４近傍で係止することにより台紙１６及びその内部の偏平御利益物１８が見える状態で該お守り具１０−２を保持する。なお、係止部は、１つでもよいし、３つ以上の複数個設けることとしてもよい。必要に応じて、係止部４４、４６から、お守り具１０−２を外して絵馬札４２と別々に使用することができる。絵馬札４２の上端部には孔４８が穿孔され、飾り紐５０が結び付けられている。縁起物や祈願物であるお守り具１０と絵馬札４２を組み合わせてセットにすることで、種々の縁起物効果や祈願成就に対する期待度が高いと感じやすく、商品価値を向上し、販売や使用の幅を広げることができる。なお、お守り・絵馬セットは寺社仏閣や店舗等で販売等する際に、外袋の中に入れてもよい。
【００３５】
以上説明した本考案のお守り具は、上記した実施形態のみの構成に限定されるものではなく、実用新案登録請求の範囲に記載した本考案の本質を逸脱しない範囲において、任意の改変を行ってもよい。
【産業上の利用可能性】
【００３６】
本考案のお守り具及びお守り・絵馬セットは、身に着けたり財布や携帯電話等の携行品に取り付けて携帯したり、室内や車内に飾ったりできる。
【符号の説明】
【００３７】
１０    お守り具
１２    カバー薄板材
１４    連結部
１６    台紙
１８    偏平状御利益物
２０    孔
２２    索条体
２８    窓孔
３０    帯状シート
３２１、３２２、３２３  折り目
４０    お守り・絵馬セット
４２    絵馬札
【図１】
0003183720.tif 000003
【図２】
0003183720.tif 000004
【図３】
0003183720.tif 000005
【図４】
0003183720.tif 000006
【図５】
0003183720.tif 000007
【図６】
0003183720.tif 000008
【図７】
0003183720.tif 000009
【図８】
0003183720.tif 000010
【図９】
0003183720.tif 000011
【図１０】
0003183720.tif 000012
【図１１】
0003183720.tif 000013
【図１２】
0003183720.tif 000014